(57)【要約】      （修正有）【課題】作物と作物の間に生えた雑草や、芝生の中に生えた雑草などを、ピンポイントの特定の場所で草取り、もしくは草抜きをする回転刃を提供する。  【解決手段】駆動力としてコードレスドライバードリルを活用して主軸をドリルチャックに接続して刃を回転させて雑草などの根の部分を刃がドリルのように巻き込んで草取り、もしくは草抜きをする回転刃であって、主軸の大きさＭ１０規格の長ネジ、長さ１，０００ｍｍ、を回転の中心として長方形の鋼鉄板を通し下部側の両面をナット平ワシャー、スプリングワシャーで固定してさらに長方形の鋼鉄板の両端にＭ５規格のネジ、長さ５０ｍｍ、ネジと平ワシャー、スプリングワシャー、ナットで固定する。【選択図】図３
0003212596.tif 000002
【実用新案登録請求の範囲】
【請求項１】
高齢者用多目的活用のピンポイント草取り、もしくは草抜きをする回転刃の構造は、駆動力としてコードレスドライバードリルを活用して主軸をドリルチャックに接続して刃を回転させて雑草などの根の部分を刃がドリルのように巻き込んで草取り、もしくは草抜きをする回転刃。
【請求項２】
高齢者用多目的活用のピンポイント草取り、もしくは草抜きをする回転刃の構造は、主軸の大きさＭ１０規格の長ネジ、長さ１，０００ｍｍ、を回転の中心として長方形の鋼鉄板を通し下部側の両面をナット平ワシャー、スプリングワシャーで固定してさらに長方形の鋼鉄板の両端にＭ５規格のネジ、長さ５０ｍｍ、ネジと平ワシャー、スプリングワシャー、ナットで固定することを特徴とする請求項１記載の草取り、もしくは草抜きをする回転刃。
【請求項３】
高齢者用多目的活用のピンポイント草取り、もしくは草抜きをする回転刃の構造は、主軸Ｍ１０規格の長ネジ、長さ１，０００ｍｍ、の下部とＭ５規格のネジの下部の回転刃の先端を鋭角状に加工することを特徴とする請求項１記載の草取り、もしくは草抜きをする回転刃。
【請求項４】
高齢者用多目的活用のピンポイント草取り、もしくは草抜きをする回転刃の構造は、二本のＭ５規格のネジの回転刃を焼き入れすることを特徴とする請求項１記載の草取り、もしくは草抜きをする回転刃。
【請求項５】
高齢者用多目的活用のピンポイント草取り、もしくは草抜きをする回転刃の構造は、Ｍ１０規格の主軸ネジ両面ナットとネジの二カ所をスポット溶接することを特徴とする請求項１記載の草取り、もしくは草抜きをする回転刃。
【考案の詳細な説明】
【考案の概要】
【考案が解決しようとする課題】
【０００１】  本件考案（発明）は、作物と作物の間に生えた雑草や、芝生の中に生えた雑草などを、ピンポイントの特定の場所に草取り、もしくは草抜きをすることができる回転刃です。
農家や一般家庭でも同様ですが、時期的に春季頃からどうしても雑草対策で、悩むことが大変多いと思います。
この雑草対策で、薬剤の一種で枯葉剤を散布して処理することも対策の一つでありますが、しかし枯葉剤が使用できない場合があります。
例えば、作物と作物の間に生えた雑草です。
（参考写真１１参照）
手作業でも大変な手間がかかりますし、草刈機などの機械を入れれば、作物を傷めてしまいます。
また、一般家庭でも庭などに芝生を植えたりしますが、この芝生の中に雑草が、生えたりすることがよくあります。
さらに、私でも経験していますが、作物と作物の間に萱などの雑草に悩まされ、これを手作業で取ろうとするのですが、この萱の根が竹の根のように地中で繋がっていて、張っているために簡単に手で取るか、もしくは抜くことができない場合もあります。
このような作業では、大変な重労働になります。
以上のことの問題解決のために考案（発明）したのが、この度の高齢者用多目的活用のピンポイント草取り、もしくは草抜きをする回転刃です。
本件考案（発明）のピンポイントの特定の場所に草取り、もしくは草抜きを活用することにより困難な作業から開放されることになり、さらに身体の負担も軽減されることになり、より効率の良い作業を図ることができます。
（参考写真１１〜１６参照）
【考案の効果】
【０００２】  本件考案（発明）の高齢者用多目的活用のピンポイント草取り、もしくは草抜きをする回転刃は、作業の困難な農家の畑地での草取り、もしくは草抜きの効率化の向上を目指して開発したものです。
併せて、農業従事者の高齢化に伴い高齢者に優しい点にも配慮しました。
すなわち、作業中に腰を曲げることなく立ったままの姿勢で身体に負担の少ない作業ができて、その作業中疲労を感じた時は、杖としての役割を兼ねて、さらに他の作業をした場合でも転倒を防止することができます。
（参考写真１５、１６参照）
そして作業中の疲労を防止するために、杖代わりとして活用することもできます。
などなど、多くの機能を持った便利グッズとして特に、高齢者用の多目的活用として大変便利なものです。
実験の結果、課題として取り上げていました畑地での作物と作物の間に生えた雑草の萱などを、前記ピンポイント草取り、もしくは草抜きをする回転刃を、コードレスドライバドリルをドリルチャックに接続して前記回転刃を、回転させて試験をしたところ草の根の部分をドリルが、巻き込んでいるようにピンポイントで草取り，もしくは草抜きをしている状況を観察した結果、作業効率など考案の効果を確認しました。
（参考写真１１〜１４参照）
以上のことから高齢者用多目的活用のピンポイント草取り、もしくは草抜きをする回転刃を皆さんに提供します。
【技術分野】
【０００３】  本件考案（発明）は、作物と作物の間に生えた雑草や、芝生の中に生えた雑草などを、ピンポイントの特定の場所に草取り、もしくは草抜きをする回転刃の構造に関するものである。
（参考写真１〜４参照）（図面１〜４参照）
【背景技術】
【０００４】  本件考案（発明）は、農作業で困難な作物と作物の間に生えた雑草をピンポイントで、どう取るかまたは引抜くか草刈機などの機械を入れれば、作物を傷めてしまうという問題、薬剤の一種で枯葉剤を散布して処理できない問題、さらに前記条件で取るか，もしくは引抜くかが困難な竹のように根の繋がった萱などを根ごと除去するための解決策として、ドリルのように巻き込んで草取り、もしくは草抜きをする方法を考案（発明）し、問題を解決しようとするものです。【０００５】  本件考案（発明）の高齢者用多目的活用のピンポイント草取り、もしくは草抜きをする回転刃は、駆動力としてコードレスドライバードリルを活用して、回転刃の主軸をドリルチャックに接続して回転刃を回転させて、雑草などの根の部分を回転刃の副軸のネジがドリルのように巻き込んで草取り、もしくは草抜きをしていく原理です。
（参考写真５〜７参照）（図面３〜４参照）【０００６】  本件考案（発明）の高齢者用多目的活用のピンポイント草取り、もしくは草抜きをする回転刃の各種パーツとしてホームセンターで市販されている主軸の大きさＭ１０規格の長ネジ、長さ１，０００ｍｍ、ナット、スプリングワシャー、平ワシャー、刃の副軸ネジのＭ５規格のネジ、長さ５０ｍｍ、ナット、スプリングワシャー、平ワシャーさらに長方形の鋼鉄板、厚さ１ｍｍ二枚を前記草取り，もしくは草抜きをする回転刃の回転部の構造材として活用します。
（参考写真１参照）（図面１参照）【０００７】  次に前記［０００６］で準備した各種パーツの内長方形の鋼鉄板、厚さ１ｍｍ、二枚をボール盤でそれぞれＭ１０規格、Ｍ５規格の大きさよりやや大きな穴を開けます。
（参考写真１〜２参照）（図面１〜２参照）【０００８】  次に前記［０００７］で製作した各種パーツの内長方形の鋼鉄板、厚さ１ｍｍ、二枚を一枚として重ねます。
そして長方形の鋼鉄板の両脇の穴に大きさＭ５規格のネジ、長さ５０ｍｍ、を通して、平ワシャー、スプリングワシャー、ナットを通します。
そしてネジのナットをスパナで、ネジはプラスドライバできつく締めます。
（参考写真２参照）（図面２参照）【０００９】  次に前記［０００８］で製作したパーツ、長方形の鋼鉄板の中央の穴に大きさＭ１０規格の長ネジ、長さ１，０００ｍｍ、平ワシャー、スプリングワシャー、ナットを通して長ネジを通します。
ー、スプリングワシャー、ナットを通して長ネジを通します。
そして両面のナットをスパナできつく締めます。
（参考写真３〜４参照）（図面３参照）【００１０】  次に前記［０００９］で高齢者用多目的活用のピンポイント草取り、もしくは草抜きをする回転刃の構造は完成ですが、さらにデスクグラインダーで主軸、刃の副軸ネジの先端を鋭角に研磨します。
（参考写真３〜４参照）（図面４参照）【００１１】  次に前記［００１０］で製作した回転刃の副軸ネジを強力ガスバーナーで８００度Ｃ前後で赤色に変化するまで熱く焼いてから冷水で一気に冷やして焼き入れをします。
こうすることにより鉄の性質を変え、鉄をさらに強力に堅くすることができます。
これは草取り、もしくは草抜きをする回転刃が畑地の地中で回転するために地中の砂地などに違いがありますが、かなり大きな力がかかる為に副軸ネジの回転刃が変形するのを防止するためです。
（参考写真８〜９参照）【００１２】  次に前記［００１１］で製作した回転刃のＭ１０規格の主軸ネジの両面ナットが作業中に過重両のためにネジが緩まないように電気溶接機でネジとナット間の二カ所をスポット溶接します。
スポット溶接をした大きな理由は、ネジの緩まないナットやネジが市販されていますが、コスト面を考えたものです。
（参考写真１１参照）【００１３】  次に前記［００１２］で製作したものを、駆動力として家庭用電気大工道具やＤＩＹなどで使用している、コードレスドライバドリルを活用します。
このコードレスドライバドリルに、前記高齢者用多目的活用のピンポイント草取り、もしくは草抜きをする回転刃の主軸を、ドリルチャックに接続して使用します。
実験で使用したコードレスドライバドリルは，日立製で形名は１２Ｖ  ＦＤＳ１２ＤＶＤです。
仕様内容は［００１５］のとおりです。
コードレスドライバドリルで大切なのは、必要とする駆動力でつまり、回転軸を回す力の大きさである回転トルクです。
仕様内容のとおり、最高の回転トルクの締め付け段数の２２で６Ｎ．ｍ（ニュウトン．メートル）となっています。
この回転トルクの数字は、６Ｎ（ニュウトン）の力で１秒間に１ｍ持ち上げることのできる力の大きさになります。
つまり回転トルクは、コードレスドライバドリルの回転軸を回す力の大きさが６Ｎ．ｍ（ニュウトン．メートル）ということになります。
ですから畑地の砂、土、土壌の性質によって異なりますので、コードレスドライバドリルの回転トルクの締め付け段数を、調整して作業をすることになります。
（参考写真５参照）【００１４】  次に実際に畑地で草取り、もしくは草抜きの作業する場合に前記［００１３］で製作したものをコードレスドライバドリルのドリルチャックに接続します。
（参考写真５〜７参照）
実際の作業は、ピンポイント場所の雑草が生えているところにピンポイント草取り、もしくは草抜きをする回転刃を持って行き、コードレスドライバドリルの駆動力で、回転刃を押し当てながら力を入れて回転させて、雑草の根の部分から捻り込んで草取り、もしくは草抜きの作業をします。
（参考写真１２〜１５参照）
前記［００１２］で製作した高齢者用多目的活用のピンポイント草取り，もしくは草抜きをする回転刃の中央のＭ１０規格の主軸ネジの長さが１，０００ｍｍありますので、作業するのに立ったままの姿勢で行うことができて高齢者にとって腰を曲げることなく、とても身体に負担の少ない楽な体制で作業することができます。
そして作業中において疲れた時、杖として体重を支えてくれこともできます。
さらに他の作業をしたい場合に片手の支えになり、転倒防止にもなり便利なグッズとしても活用できます。
（参考写真１６〜１７参照）【００１５】
0003212596.tif 000003
【図面の簡単な説明】
【００２】
【図１】：  この［図１］は、高齢者用多目的活用のピンポイント草取り、もしくは草抜きをする回転刃の各種パーツの主軸用長ネジ除くです。図面左側のパーツが、駆動用のコードレスドライバドリルで回転するための回転板用もので、厚さ１ｍｍの鋼鉄製の板を２枚一組みとして重ねて使用します。図面右側が、Ｍ５規格の大きさのネジ、ナットと平ワッシャー、スプリングワッシャーの各種パーツの状況の図面です。
【図２】：  この［図２］は、高齢者用多目的活用のピンポイント草取り、もしくは草抜きをする回転刃の回転部用で，厚さ１ｍｍの鋼鉄製の板を２枚一組みとして重ねてＭ５規格の大きさで，長さ５０ｍｍのネジにナットと平ワッシャー、スプリングワッシャーを組合わせてた状況の図面です。
【図３】：  この［図３］は、前記高齢者用多目的活用のピンポイント草取り、もしくは草抜きをする回転刃の中央の位置に，Ｍ１０規格の長ネジ１，０００ｍｍをナットと平ワッシャー、スプリングワッシャーでそれぞれ二面をナット回し工具で、組合わせて高齢者用多目的活用のピンポイント草取り、もしくは草抜きをする回転刃の形状の図面です。
【図４】：  この［図］４は、前記高齢者用多目的活用のピンポイント草取り、もしくは草抜きをする回転刃の形状にデスクグラインダーの電動工具で，各種ネジの先端を鋭角状に研磨したもので中央部の長ネジは、両端部のネジの長さよりも５割程度長くしてナットと平ワッシャー、スプリングワッシャーで，それぞれナット回し工具で組み合わせをした図面です。
【図１】
0003212596.tif 000004
【図２】
0003212596.tif 000005
【図３】
0003212596.tif 000006
【図４】
0003212596.tif 000007